(57)【要約】【課題】棚板の長さに関係なく、棚板下方の商品陳列スペースを均一に、かつ効果的に照明し得る照明装置を提供する。【解決手段】商品陳列什器１における棚板４の下面に設けることにより、棚板４下方の商品陳列スペースを照明するようにした商品陳列什器１における照明装置６において、棚板４の下面に、その長手方向の寸法とほぼ等しい長さの下方に開口する照明ケース７を取り付け、該照明ケース７内における少なくとも両側端部を含む長手方向の複数箇所に、発光ダイオード９を配設する。【選択図】図２
2008229215.tif 000002
【特許請求の範囲】
【請求項１】
商品陳列什器における棚板の下面に設けることにより、棚板下方の商品陳列スペースを照明するようにした商品陳列什器における照明装置において、
棚板の下面に、その長手方向の寸法とほぼ等しい長さの下方に開口する照明ケースを取り付け、該照明ケース内における少なくとも両側端部を含む長手方向の複数箇所に、発光ダイオードを配設したことを特徴とする商品陳列什器における照明装置。
【請求項２】
発光ダイオードを基板に取り付け、この基板を照明ケース内に設けたことを特徴とする請求項１に記載の商品陳列什器における照明装置。
【請求項３】
少なくとも１個の発光ダイオードを有する複数の基板を、照明ケース内に、長手方向の取付位置を変更可能に設けたことを特徴とする請求項２に記載の商品陳列什器における照明装置。
【請求項４】
照明ケース内に、その長さとほぼ等しい長さの線状コンセントを、その下面に長手方向に沿って形成された２条の差し込み溝が下方に開口するようにして設け、前記２条の差し込み溝に、基板に上向き突設した差し込みプラグを挿入することにより、基板を照明ケース内に設けたことを特徴とする請求項２または３に記載の商品陳列什器における照明装置。
【請求項５】
線状コンセントの２条の差し込み溝を、基板を長手方向に沿って１８０°反転させたとき、その差し込みプラグが差し込み不能となるように、照明ケースにおける長手方向に沿う中心線より偏倚した位置に設けたことを特徴とする請求項４に記載の商品陳列什器における照明装置。
【請求項６】
照明ケースを放熱性に優れる材料により形成し、かつ外周面の少なくとも一部に、放熱フィンを突設したことを特徴とする請求項１ないし５のいずれかに記載の商品陳列什器における照明装置。
【請求項７】
照明ケースを、押し出し成形により形成したことを特徴とする請求項１ないし６のいずれかに記載の商品陳列什器における照明装置。
【請求項８】
照明ケース内に、発光ダイオードの光を下方に拡散させる凹曲面状の反射板を設けたことを特徴とする請求項１ないし７のいずれかに記載の商品陳列什器における照明装置。
【発明の詳細な説明】
【技術分野】
【０００１】
本発明は、例えば冷凍冷蔵ショーケース等の商品陳列什器における棚板の下面に設けることにより、棚板下方の商品陳列スペースを照明するようにした照明装置に関する。
【背景技術】
【０００２】
この種の商品陳列什器の照明装置としては、例えば特許文献１及び２に記載されているものがある。
【０００３】
【特許文献１】特開２００１−１６９８７４号公報（図１、図３）
【特許文献２】特開２００４−１５８３２４号公報（図１）
【発明の開示】
【発明が解決しようとする課題】
【０００４】
上記特許文献１及び２に記載されている照明装置は、いずれも、上下多段の棚板の下面に、長手方向（左右方向）を向く蛍光灯を取り付け、その直下にある下位の棚板に載置した商品を照明するようにしている。そのため、長さが規格により決められている蛍光灯よりも長い棚板を使用すると、下位の棚板の両側部が暗くなるという問題が発生する。
【０００５】
また、長い棚板に、複数の蛍光灯を、長手方向に間隔を設けて取り付けた際には、下位の棚板における蛍光灯同士の間の下方が暗くなるという問題が生じる。
【０００６】
本発明は、上記問題点を解決するためになされたもので、棚板の長さに関係なく、棚板下方の商品陳列スペースを均一に、かつ効果的に照明し得るようにした商品陳列什器における照明装置を提供することを目的としている。
【課題を解決するための手段】
【０００７】
上記課題を解決するために、本発明の請求項１に記載の商品陳列什器における照明装置は、
商品陳列什器における棚板の下面に設けることにより、棚板下方の商品陳列スペースを照明するようにした商品陳列什器における照明装置において、
棚板の下面に、その長手方向の寸法とほぼ等しい長さの下方に開口する照明ケースを取り付け、該照明ケース内における少なくとも両側端部を含む長手方向の複数箇所に、発光ダイオードを配設したことを特徴としている。
この特徴によれば、棚板の長さに関係なく、すなわち、どのような長さの棚板であっても、それとほぼ等しい長さとされた照明ケース内に設けた複数の発光ダイオードにより、棚板下方の長手方向の商品陳列スペースの全領域を均一に、かつ効果的に照明することができる。
【０００８】
本発明の請求項２に記載の商品陳列什器における照明装置は、請求項１に記載の商品陳列什器における照明装置であって、
発光ダイオードを基板に取り付け、この基板を照明ケース内に設けたことを特徴としている。
この特徴によれば、発光ダイオードを予め取り付けた基板を照明ケースに設けるだけでよいので、発光ダイオードを個々に照明ケースに取り付けるよりも作業能率が向上する。
【０００９】
本発明の請求項３に記載の商品陳列什器における照明装置は、請求項２に記載の商品陳列什器における照明装置であって、
少なくとも１個の発光ダイオードを有する複数の基板を、照明ケース内に、長手方向の取付位置を変更可能に設けたことを特徴としている。
この特徴によれば、棚板下方の商品の陳列位置に合わせて、複数の基板の取付位置を変更し、その陳列商品を効率よく照明することができる。
【００１０】
本発明の請求項４に記載の商品陳列什器における照明装置は、請求項２または３に記載の商品陳列什器における照明装置であって、
照明ケース内に、その長さとほぼ等しい長さの線状コンセントを、その下面に長手方向に沿って形成された２条の差し込み溝が下方に開口するようにして設け、前記２条の差し込み溝に、基板に上向き突設した差し込みプラグを挿入することにより、基板を照明ケース内に設けたことを特徴としている。
この特徴によれば、基板を、発光ダイオードに給電し得るように照明ケースに容易に取り付けることができる。また、基板を複数とした際には、各基板及びそれに取り付けた発光ダイオードを、照明ケースの長手方向の任意の位置に簡単に配設することができる。
【００１１】
本発明の請求項５に記載の商品陳列什器における照明装置は、請求項４に記載の商品陳列什器における照明装置であって、
線状コンセントの２条の差し込み溝を、基板を長手方向に沿って１８０°反転させたとき、その差し込みプラグが差し込み不能となるように、照明ケースにおける長手方向に沿う中心線より偏倚した位置に設けたことを特徴としている。
この特徴によれば、線状コンセントにおける２条の差し込み溝と、基板の差し込みプラグとの極性を合致させることができるので、極性違いとなる差し込みミスを防止することができる。
【００１２】
本発明の請求項６に記載の商品陳列什器における照明装置は、請求項１ないし５のいずれかに記載の商品陳列什器における照明装置であって、
照明ケースを放熱性に優れる材料により形成し、かつ外周面の少なくとも一部に、放熱フィンを突設したことを特徴としている。
この特徴によれば、照明ケースの放熱性が良好となるので、内部に熱がこもらなくなり、発光ダイオードの寿命を延ばすことができる。
【００１３】
本発明の請求項７に記載の商品陳列什器における照明装置は、請求項１ないし６のいずれかに記載の商品陳列什器における照明装置であって、
照明ケースを、押し出し成形により形成したことを特徴としている。
この特徴によれば、棚板の長さに対応した長さの照明ケースを、容易に成形し得るとともに、長寸に成形した照明ケースを、棚板の長さに応じて適宜切断して使用することもできる。
【００１４】
本発明の請求項８に記載の商品陳列什器における照明装置は、請求項１ないし７のいずれかに記載の商品陳列什器における照明装置であって、
照明ケース内に、発光ダイオードの光を下方に拡散させる凹曲面状の反射板を設けたことを特徴としている。
この特徴によれば、最小限の数の発光ダイオードにより、棚板下方の商品陳列スペースを広範囲に照明することができる。
【発明を実施するための最良の形態】
【００１５】
以下、本発明の一実施形態を、図面に基づいて説明する。
図１は、本発明を適用した冷凍冷蔵ショーケース１の縦断側面図を示すもので、内箱２における背面板３の前面（図１の左方が前）には、左右方向に長い上下複数段の棚板４が、前方を向く左右複数のブラケット５を介して取り付けられ、各棚板４の前端部下面に、本発明の照明装置６が設けられている。以下、図２は、棚板における照明装置取付部の拡大縦断側面図であり、図３は、線状コンセントと、それに取り付けられる基板を下方より見た斜視図であり、図４は、カバー及び反射板を取り外した状態の照明装置の底面図であり、図５は、同じく、基板の取付位置を変更したときの底面図である。
【００１６】
各照明装置６は、図２の拡大縦断側面図に示すように、照明ケース７と、その内部に設けられた線状コンセント８と、この線状コンセント８の下面に取り付けられた、発光ダイオード（以下ＬＥＤと略称する）９を有する短寸の複数の基板１０と、凹曲面状の反射板１１と、照明ケース７の下面に設けられた透光性のカバー１２とを備えている。
【００１７】
照明ケース７は、放熱性の高い、例えばアルミニウム合金等の押し出し成形品よりなり、左右寸法が棚板４の左右寸法とほぼ等しい、左右両側方と下方に開口する下向きコ字状断面に形成されている。照明ケース７の上面には、互いに平行をなす前後複数の放熱フィン１３が、左右方向に全長に亘って上向きに突設されている。
【００１８】
線状コンセント８は、図示しない直流電源に接続され、図３の斜視図にも示すように、放熱性及び導電性を有するアルミニウム合金等の材料により、照明ケース７の左右寸法とほぼ等しく、かつ照明ケース７内の前後寸法より小さな前後寸法をなすように形成されている。線状コンセント８の下面の中央部には、下方に開口する基板１０取付用の取付溝１４が、また、それを挟む両側には、下方に開口する前後２条の差し込み溝１５、１５が、それぞれ左右方向に全長に亘って形成されている。
【００１９】
線状コンセント８は、照明ケース７の内底面の前方寄り、すなわち照明ケース７の左右方向に沿う中心線より前方に偏倚した位置に、下方より挿入した複数の皿ボルト１６により固定されている。
【００２０】
複数の各基板１０の前後寸法は、照明ケース７内に挿入しうるように、その内部の前後寸法より若干小さく、かつ線状コンセント８の前後寸法よりは大とされ、それぞれの基板１０に、例えば２個ずつのＬＥＤ９が取り付けられている。
【００２１】
また、各基板１０の上面における側端部の前方寄りには、線状コンセント８の差し込み溝１５、１５に差し込み可能な差し込みプラグ１７が、上向に突設されており、この差し込みプラグ１７を差し込み溝１５に差し込んだ状態で、下方より挿入した複数のタッピングスクリュウ１８を、線状コンセント８の取付溝１４にねじ込むことにより、複数の基板１０が、線状コンセント８の下面に一定間隔おきに固定されている（図４参照）。これにより、線状コンセント８から各ＬＥＤ９に給電され、照明ケース７の両端部を含む下方の全領域が、照明されるようになっている。
【００２２】
なお、上記のように、線状コンセント８を、照明ケース７の中心から前方に偏倚した位置に取り付けると、図示の状態で、基板１０を１８０°反転させた場合には、差し込み溝１５に差し込みプラグ１７が差し込み不能となるので、互いの極性を合致させて、極性違いとなる差し込みミスを防止することができる。
【００２３】
図３に示すように、反射板１１は、その上面の中央部に穿設した開口２６よりＬＥＤ９を突出させるとともに、基板１０の下面中央に上面を当接させた状態で、前後の端縁を照明ケース７における前後の下向片７ａ、７ａの下端部内面に形成された左右方向を向く凹溝１９、１９に弾性係合させることにより、照明ケース７の下端部内に、全長に亘って着脱可能に取り付けられている。
【００２４】
カバー１２は、透明なアクリル等により、照明ケース７の下面全体を覆いうる左右寸法に形成され、照明ケース７における前後の下向片７ａの下端部内面に形成された左右方向を向く凹溝２０、２０に、側端より押し入れることにより取り付けられている。
【００２５】
このように、各部材を組み付けてユニット化された照明装置６は、次のようにして、各棚板４の前端部の下面に取り付けられている。
【００２６】
図２及び図４に示すように、照明ケース７の左端面に固定ねじ２１により固定されたブラケット２２を、棚板４の前端部下面に固着された左右方向を向く補強部材２３に、固定ねじ２４により取り付けるとともに、照明ケース７の右端面に固定ねじ２１により固定されたブラケット２５を、棚板４の前端部下面の図示しない補強部材に取り付けることにより、照明装置６は、照明ケース７の下端の照光面（開口面）が、後下方を向くように傾斜した状態で、棚板４の前端部下面に、取り付けられている。なお、照明ケース７を、左右のブラケット２２、２５に、左右方向を向く軸回りに回動可能に取り付け、下位の棚板４を照明する領域を、前後方向に調整しうるようにしてもよい。
【００２７】
以上説明したように、上記実施形態の照明装置６においては、棚板４の長さとほぼ等しい長さとされた照明ケース７内に、複数（２個）づつのＬＥＤ９を取り付けた複数の基板１０を、一定間隔おきに設けているので、棚板４の長さに関係なく、すなわち、どのような長さの棚板４であっても、各基板１０の複数のＬＥＤ９により、棚板４の下方における左右方向の商品陳列スペースの全領域を均一に、かつ効果的に照明することができる。
【００２８】
また、ＬＥＤ９は、短寸の複数の基板１０に取り付けられ、この基板１０を、照明ケース７内に設けた線状コンセント８に取り付けているので、ＬＥＤ９の取り付けが容易であるとともに、基板１０の左右方向の取付位置を変更することができる。従って、図５に示すように、棚板４の下方の商品の陳列位置に合わせて、基板１０の取付位置を変更したり、基板１０の長さ及びそれに取り付けられるやＬＥＤ９の数を変えたりして、陳列商品を効率よく照明することができる。
【００２９】
本発明は、上記実施形態に限定されるものではない。
上記実施形態では、複数の基板１０を線状コンセント８に取り付けているが、このような線状コンセント８を使用しないで、各基板１０を照明ケース７内に設け、これらを電源ケーブルにより直列に接続して、各ＬＥＤ９に通電するようにしてもよく、また基板１０の長さを照明ケース７とほぼ等しい長さとして、これに複数のＬＥＤ９を取り付けてもよい。
【００３０】
上記実施形態で用いた反射板１１やカバー１２は必ずしも必要ではなく、それらを省略して実施してもよい。
本発明は、上記冷凍冷蔵ショーケース１以外に、一般的な商品陳列棚等の商品陳列什器にも適用しうることは勿論である。
【図面の簡単な説明】
【００３１】
【図１】本発明の一実施形態を適用した冷蔵ショーケースの縦断側面図である。
【図２】棚板における照明装置取付部の拡大縦断側面図である。
【図３】線状コンセントと、それに取り付けられる基板を下方より見た斜視図である。
【図４】カバー及び反射板を取り外した状態の照明装置の底面図である。
【図５】同じく、基板の取付位置を変更したときの底面図である。
【符号の説明】
【００３２】
１          冷凍冷蔵ショーケース（商品陳列什器）
２          内箱
３          背面板
４          棚板
５          ブラケット
６          照明装置
７          照明ケース
７ａ        下向片
８          線状コンセント
９          発光ダイオード（ＬＥＤ）
１０        基板
１１        反射板
１２        カバー
１３        放熱フィン
１４        取付溝
１５        差し込み溝
１６        皿ボルト
１７        差し込みプラグ
１８        タッピングスクリュウ
１９        凹溝
２０        凹溝
２１        固定ねじ
２２        ブラケット
２３        補強部材
２４        固定ねじ
２５        ブラケット
２６        開口
【図１】
2008229215.tif 000003
【図２】
2008229215.tif 000004
【図３】
2008229215.tif 000005
【図４】
2008229215.tif 000006
【図５】
2008229215.tif 000007